(57)【要約】【課題】作業者の負担を軽減しながら、動力を一切使用しないためメンテナンスの手間を省くことができるとともに電力消費の発生を抑制することができる製函補助装置を提供する。【解決手段】製函補助装置１は、略四角柱形状の段ボール箱をその少なくとも一面が開かれた状態で位置決めする位置決め部２０と、位置決め部２０に設けられ、水平方向に延びる回転軸３０とを備えており、位置決め部２０は回転軸３０を中心として第１位置と第２位置との間で回転可能となっており、位置決め部２０が回転軸３０を中心として第１位置から第２位置まで回転したときに当該位置決め部２０で位置決めされている段ボール箱の上下が反転させられるようになっている。【選択図】図１
2017217860.tif 000002
【特許請求の範囲】
【請求項１】
略四角柱形状の段ボール箱をその少なくとも一面が開かれた状態で位置決めする位置決め部と、
前記位置決め部に設けられ、水平方向に延びる回転軸と、
を備え、
前記位置決め部は前記回転軸を中心として第１位置と第２位置との間で回転可能となっており、前記位置決め部が前記回転軸を中心として前記第１位置から前記第２位置まで回転したときに当該位置決め部で位置決めされている段ボール箱の上下が反転させられるようになっている、製函補助装置。
【請求項２】
前記位置決め部に、段ボールを製函するためのテープが巻かれた巻芯を保持する巻芯保持部が設けられており、前記位置決め部および前記巻芯保持部は前記回転軸を中心として一体的に回転するようになっている、請求項１記載の製函補助装置。
【請求項３】
前記巻芯保持部は前記回転軸の長手方向と平行な方向に移動自在となっている、請求項２記載の製函補助装置。
【請求項４】
前記位置決め部に、前記巻芯保持部により保持される巻芯から巻き出されたテープを切断するための切断部が設けられており、前記位置決め部および前記切断部は前記回転軸を中心として一体的に回転するようになっている、請求項２または３記載の製函補助装置。
【請求項５】
前記切断部は、前記位置決め部に設けられた切断部用回転軸を中心として回転可能となっており、前記切断部が前記切断部用回転軸を中心として回転することにより、前記巻芯保持部により保持される巻芯から巻き出されて前記段ボール箱のフラップに貼られているテープが切断されるようになっている、請求項４記載の製函補助装置。
【請求項６】
前記位置決め部が前記第２位置に位置しているときに当該位置決め部で位置決めされている段ボール箱が載置される載置部を更に備えた、請求項１乃至５のいずれか一項に記載の製函補助装置。
【請求項７】
前記載置部は、段ボール箱が水平面に対して傾斜した状態で載置されるような構成となっている、請求項６記載の製函補助装置。
【請求項８】
前記載置部に載置された段ボール箱を当該載置部から他の場所に搬送するのを補助する搬送補助部を更に備えた、請求項７記載の製函補助装置。
【請求項９】
前記位置決め部は、折り畳まれた状態から段ボール箱が略四角柱形状に開かれる際に当該段ボール箱の側面の位置決めを行う位置決めガイドを有している、請求項１乃至７のいずれか一項に記載の製函補助装置。
【請求項１０】
前記位置決めガイドは、段ボール箱が略四角柱形状に開かれたときの当該段ボール箱の３つの側面に対応する位置に設けられている、請求項９記載の製函補助装置。
【請求項１１】
前記位置決め部は、段ボール箱が略四角柱形状に開かれたときの当該段ボール箱のある側面を対向する他の側面に向かって押圧する押圧ガイドを更に有している、請求項１０記載の製函補助装置。
【発明の詳細な説明】
【技術分野】
【０００１】
本発明は、段ボール箱の製函作業を補助するための製函補助装置に関する。なお、段ボール箱の製函作業とは、折り畳まれた状態から段ボール箱を略四角柱形状に開いてフラップをテープにより封止することによって段ボール箱を組み立てる作業のことをいう。
【背景技術】
【０００２】
生産現場において、折り畳まれた状態から段ボール箱を略四角柱形状に開いてフラップをテープにより封止することによって段ボール箱を組み立てるにあたり、全ての工程を作業者が手動で行うと作業者にとっての負荷が大きくなるとともに時間がかかるため、このような製函作業を自動で行うような装置が従来から導入されている。例えば、特許文献１や特許文献２には、段ボール箱の製函作業を自動で行う装置が開示されている。
【先行技術文献】
【特許文献】
【０００３】
【特許文献１】特開２００５−２８０８０２号公報
【特許文献２】特開２００１−７１３９７号公報
【発明の概要】
【発明が解決しようとする課題】
【０００４】
特許文献１や特許文献２に開示される装置では、段ボール箱の供給以外の全工程を自動化しているが、動力を用いる機械要素が多いためメンテナンスの箇所が多くなってしまったり、電力消費量が大きくなってしまったりするという問題がある。
【０００５】
本発明は、このような点を考慮してなされたものであり、作業者の負担を軽減しながら、動力を一切使用しないためメンテナンスの手間を省くことができるとともに電力消費の発生を抑制することができる製函補助装置を提供することを目的とする。
【課題を解決するための手段】
【０００６】
本発明の製函補助装置は、略四角柱形状の段ボール箱をその少なくとも一面が開かれた状態で位置決めする位置決め部と、前記位置決め部に設けられ、水平方向に延びる回転軸と、を備え、前記位置決め部は前記回転軸を中心として第１位置と第２位置との間で回転可能となっており、前記位置決め部が前記回転軸を中心として前記第１位置から前記第２位置まで回転したときに当該位置決め部で位置決めされている段ボール箱の上下が反転させられるようになっていることを特徴とする。
【０００７】
このような製函補助装置によれば、略四角柱形状の段ボール箱をその少なくとも一面が開かれた状態で位置決めする位置決め部が回転軸を中心として第１位置と第２位置との間で回転可能となっており、位置決め部が回転軸を中心として第１位置から第２位置まで回転したときに当該位置決め部で位置決めされている段ボール箱の上下が反転させられるようになっている。このため、略四角柱形状に開かれた段ボール箱のフラップをテープにより封止した後にこの段ボール箱の上下を作業者は手作業で容易に反転させることができ、このことにより、作業者の負担を軽減しながら、動力を一切使用しないためメンテナンスの手間を省くことができるとともに電力消費の発生を抑制することができる。
【０００８】
本発明の製函補助装置においては、前記位置決め部に、段ボールを製函するためのテープが巻かれた巻芯を保持する巻芯保持部が設けられており、前記位置決め部および前記巻芯保持部は前記回転軸を中心として一体的に回転するようになっていてもよい。
【０００９】
この場合、前記巻芯保持部は前記回転軸の長手方向と平行な方向に移動自在となっていてもよい。
【００１０】
本発明の製函補助装置においては、前記位置決め部に、前記巻芯保持部により保持される巻芯から巻き出されたテープを切断するための切断部が設けられており、前記位置決め部および前記切断部は前記回転軸を中心として一体的に回転するようになっていてもよい。
【００１１】
この場合、前記切断部は、前記位置決め部に設けられた切断部用回転軸を中心として回転可能となっており、前記切断部が前記切断部用回転軸を中心として回転することにより、前記巻芯保持部により保持される巻芯から巻き出されて前記段ボール箱のフラップに貼られているテープが切断されるようになっていてもよい。
【００１２】
本発明の製函補助装置は、前記位置決め部が前記第２位置に位置しているときに当該位置決め部で位置決めされている段ボール箱が載置される載置部を更に備えていてもよい。
【００１３】
この場合、前記載置部は、段ボール箱が水平面に対して傾斜した状態で載置されるような構成となっていてもよい。
【００１４】
本発明の製函補助装置は、前記載置部に載置された段ボール箱を当該載置部から他の場所に搬送するのを補助する搬送補助部を更に備えていてもよい。
【００１５】
本発明の製函補助装置においては、前記位置決め部は、折り畳まれた状態から段ボール箱が略四角柱形状に開かれる際に当該段ボール箱の側面の位置決めを行う位置決めガイドを有していてもよい。
【００１６】
この場合、前記位置決めガイドは、段ボール箱が略四角柱形状に開かれたときの当該段ボール箱の３つの側面に対応する位置に設けられていてもよい。
【００１７】
また、前記位置決め部は、段ボール箱が略四角柱形状に開かれたときの当該段ボール箱のある側面を対向する他の側面に向かって押圧する押圧ガイドを更に有していてもよい。
【発明の効果】
【００１８】
本発明の製函補助装置によれば、作業者の負担を軽減しながら、動力を一切使用しないためメンテナンスの手間を省くことができるとともに電力消費の発生を抑制することができる。
【図面の簡単な説明】
【００１９】
【図１】本発明の実施の形態による製函補助装置の構成を示す斜視図であって、位置決め部が第１位置に位置しているときの状態を示す図である。
【図２】図１に示す製函補助装置の構成を示す斜視図であって、位置決め部が第２位置に位置しているときの状態を示す図である。
【図３】図１に示す製函補助装置の位置決め部の構成を示す上面図であって、位置決め部に段ボール箱を押し込むときの状態を示す図である。
【図４】図３に示す位置決め部の構成を示す上面図であって、位置決め部において段ボール箱が略四角柱形状に開かれたときの状態を示す図である。
【発明を実施するための形態】
【００２０】
以下、図面を参照して本発明の実施の形態について説明する。図１乃至図４は、本実施の形態による製函補助装置を示す図である。このうち、図１および図２は、それぞれ、本実施の形態による製函補助装置の構成を示す斜視図であり、図３および図４は、それぞれ、図１に示す製函補助装置の位置決め部の構成を示す上面図である。なお、図１乃至図４において、製函されるべき段ボール箱を参照符合Ｄで示しており、この段ボール箱のフラップを参照符合Ｆで示している。また、段ボール箱のフラップを封止するためのテープを参照符合Ｔで示している。
【００２１】
図１および図２に示すように、本実施の形態による製函補助装置１は、ベース部１０と、略四角柱形状の段ボール箱をその少なくとも一面が開かれた状態で位置決めする位置決め部２０と、位置決め部２０に設けられ、水平方向に延びる回転軸３０と、段ボールを製函するためのテープが巻かれた巻芯４２を保持する巻芯保持部４０と、巻芯保持部４０により保持される巻芯４２から巻き出されたテープを切断するための切断部５０とを備えている。また、本実施の形態による製函補助装置１には、位置決め部２０が後述する第２位置に位置しているときに当該位置決め部２０で位置決めされている段ボール箱が載置される載置部６０、および載置部６０に載置された段ボール箱を当該載置部６０から他の場所に搬送するのを補助する搬送補助部７０がそれぞれ設けられている。このような製函補助装置１の各構成部材について以下に詳述する。
【００２２】
図３および図４に示すように、位置決め部２０は、折り畳まれた状態から段ボール箱が略四角柱形状に開かれる際に当該段ボール箱の長辺側の側面の位置決めを行う一対の位置決めガイド２２、２４と、段ボール箱の短辺側の側面の位置決めを行う位置決めガイド２６とを有しており、これらの位置決めガイド２２、２４、２６は、段ボール箱が略四角柱形状に開かれたときの当該段ボール箱の３つの側面に対応する位置に設けられている。また、段ボール箱の長辺の側面の位置決めを行う一対の位置決めガイド２２、２４のうち一方の位置決めガイド２４には、段ボール箱が略四角柱形状に開かれたときの当該段ボール箱の長辺側の一方の側面（すなわち、図３や図４における下側の側面）を対向する長辺側の他方の側面（すなわち、図３や図４における上側の側面）に向かって押圧する押圧ガイド２８が設けられている。より詳細には、押圧ガイド２８は２つのバネ２９により位置決めガイド２４に取り付けられている。そして、折り畳まれた状態の段ボール箱をこのような位置決め部２０によって略四角柱形状に開く際に、作業者はまず段ボール箱のある隅部を位置決めガイド２６と押圧ガイド２８との間の隅部（図３において参照符合Ｃで表示）に手で押し当て、このような状態で段ボール箱の反対側の隅部を位置決めガイド２６に向かって（すなわち、図３における矢印方向に）手で押す。このことにより、折り畳まれた状態の段ボール箱の側面が開かれるようになり、最終的には図４に示すように段ボール箱が略四角柱形状に開かれる。また、この際に、押圧ガイド２８と位置決めガイド２４との間に配置されている各バネ２９が圧縮状態となることにより、これらのバネ２９の圧縮状態からの復元力によって段ボール箱は押圧ガイド２８により図４における上方向に押圧されるようになる。このことにより、略四角柱形状に開かれた段ボール箱の形が、４つの側面が平行四辺形になるような不適正な形に戻ってしまうことを防止することができるようになる。
【００２３】
位置決め部２０は、ベース部１０に対して、水平方向に延びる回転軸３０を中心として図１に示すような第１位置と図２に示すような第２位置との間で回転可能となっている。そして、位置決め部２０が回転軸３０を中心として図１に示すような第１位置から図２に示すような第２位置まで回転したときに、位置決め部２０で位置決めされている段ボール箱の上下が反転させられるようになっている。より詳細には、位置決め部２０が図１に示すような第１位置に位置しているときに、位置決め部２０によって略四角柱形状に位置決めされた段ボール箱の側面（具体的には、図１において参照符合Ａで示す側面）を作業者が位置決め部２０の位置決めガイド２６に向かって押しながらこの位置決め部２０を第１位置から回転軸３０を中心として第２位置まで回転させることにより、段ボール箱の上下が反転させられた状態で当該段ボール箱は載置部６０に載置されるようになる。
【００２４】
また、図１および図２に示すように、位置決め部２０に、段ボールを製函するためのテープ（例えば、クラフトテープ）が巻かれた巻芯４２を保持する巻芯保持部４０が設けられており、位置決め部２０および巻芯保持部４０は回転軸３０を中心として一体的に回転するようになっている。ここで、巻芯保持部４０は回転軸３０の長手方向と平行な方向に移動自在となっている。このことにより、図３および図４に示すように、巻芯保持部４０により保持される巻芯４２も回転軸３０の長手方向と平行な方向（すなわち、図３や図４における上下方向）に移動自在となる。この場合には、位置決め部２０により位置決めされる段ボール箱のサイズが変わっても、巻芯４２を回転軸３０の長手方向と平行な方向に移動させることにより、巻芯４２から巻き出されたテープと、段ボール箱のフラップ間の境界との位置合わせを行うことができるようになるため、段ボール箱のフラップを当該テープにより確実に封止することができるようになる。
【００２５】
また、図１および図２に示すように、位置決め部２０に、巻芯保持部４０により保持される巻芯４２から巻き出されたテープを切断するための切断部５０（具体的には、回転式テープカッター）が設けられており、位置決め部２０および切断部５０は回転軸３０を中心として一体的に回転するようになっている。また、切断部５０は、位置決め部２０に設けられた切断部用回転軸５２を中心として回転可能となっており、切断部５０が切断部用回転軸５２を中心として回転することにより、巻芯保持部４０により保持される巻芯４２から巻き出されて段ボール箱のフラップに貼られているテープが切断されるようになっている。このような切断部５０によるテープの切断方法の詳細については後述する。また、本実施の形態では、切断部５０は切断部用回転軸５２の長手方向に沿って移動自在となっている。この場合には、巻芯保持部４０を回転軸３０の長手方向と平行な方向に移動させ、この巻芯保持部４０により保持される巻芯４２を回転軸３０の長手方向と平行な方向（すなわち、図３や図４における上下方向）に移動させても、巻芯４２に対向するよう切断部５０を切断部用回転軸５２の長手方向に沿って移動させることにより、巻芯４２から巻き出されて段ボール箱のフラップに貼られているテープを切断部５０により確実に切断することができるようになる。
【００２６】
載置部６０には、位置決め部２０が図２に示すような第２位置に位置しているときに当該位置決め部２０で位置決めされている段ボール箱が載置されるようになっている。ここで、載置部６０は、段ボール箱が水平面に対して傾斜した状態で載置されるような構成となっている。また、載置部６０に段ボール箱が載置されているときに、作業者は当該段ボール箱に様々な製品等のワークを入れることができるようになっている。このような載置部６０が設けられていることにより、作業者が段ボール箱に様々な製品等のワークを入れる際の負荷を軽減することができるようになる。また、載置部６０の近傍には、載置部６０に載置された段ボール箱を当該載置部６０から他の場所に搬送するのを補助する搬送補助部７０が設けられている。搬送補助部７０は、各々が回転自在となっている複数のローラを有しており、製品等のワークが入った段ボール箱がこれらのローラ上で作業者により押されながら搬送されるようになる。この際に、搬送補助部７０が水平面に対して斜め下方に傾斜しており、作業者が段ボール箱を手で押さなくても当該段ボール箱がワークの重量により自動で搬送されるようになっていてもよい。このような搬送補助部７０が設けられていることにより、作業者が製品等のワークが入った段ボール箱を搬送する際の負荷を軽減することができるようになる。
【００２７】
次に、このような構成からなる製函補助装置１を用いて段ボール箱の製函作業を行う際の動作について説明する。
【００２８】
作業者は、まず折り畳まれた状態の段ボール箱を位置決め部２０に手で運ぶ。そして、作業者は最初に折り畳まれた状態の段ボール箱のある隅部を位置決めガイド２６と押圧ガイド２８との間の隅部（図３において参照符合Ｃで表示）に手で押し当て、このような状態で段ボール箱の反対側の隅部を位置決めガイド２６に向かって（すなわち、図３における矢印方向に）手で押す。このことにより、折り畳まれた状態の段ボール箱の側面が開かれるようになり、最終的には図４に示すように段ボール箱が略四角柱形状に開かれる。また、この際に、押圧ガイド２８と位置決めガイド２４との間に配置されている各バネ２９が圧縮状態となることにより、これらのバネ２９の圧縮状態からの復元力によって段ボール箱は押圧ガイド２８により図４における上方向に押圧されるようになる。
【００２９】
その後、作業者は位置決め部２０において略四角柱形状に位置決めされている段ボール箱の上側のフラップを折り畳み、これらの折り畳まれた上側のフラップを、巻芯保持部４０により保持される巻芯４２から巻き出されたテープにより封止する。この際に、巻芯保持部４０により保持される巻芯４２から巻き出されたテープを段ボール箱のフラップに貼った後、作業者が切断部用回転軸５２を中心として切断部５０を回転させることにより、このテープが切断部５０によって切断されるようになる。このことにより、段ボール箱の上部が閉じられるようになる。なお、位置決め部２０において位置決めされている段ボール箱の下側のフラップは未だ折り畳まれておらず、このような段ボール箱の下部は開かれたままの状態となっている。
【００３０】
その後、位置決め部２０によって略四角柱形状に位置決めされた段ボール箱の短辺側の側面（具体的には、図１において参照符合Ａで示す側面）を作業者が位置決めガイド２６に向かって押しながら、この位置決め部２０を第１位置から回転軸３０を中心として第２位置まで回転させる。このことにより、段ボール箱の上下が反転させられる。また、上下が反転させられた段ボール箱は載置部６０に載置されるようになる。そして、載置部６０に段ボール箱が載置されているときに、作業者は当該段ボール箱に様々な製品等のワークを入れる。その後、作業者は、載置部６０に載置されている段ボール箱の下側の短辺側の側面を手で斜め上方に押すことにより当該載置部６０から搬送補助部７０に段ボール箱を送り、この搬送補助部７０の各ローラ上で製品等のワークが入った段ボール箱を手で搬送する。このようにして、製品等のワークが入った段ボール箱が製函補助装置１から送り出されるようになる。なお、搬送補助部７０が水平面に対して斜め下方に傾斜している場合には、作業者が段ボール箱を手で押さなくても当該段ボール箱がワークの重量により自動で搬送される。その後、作業者は位置決め部２０を第２位置から第１位置に戻す。このことにより、次の段ボール箱の製函作業を行うことができるようになる。
【００３１】
以上のような構成からなる本実施の形態の製函補助装置１によれば、略四角柱形状の段ボール箱をその少なくとも一面が開かれた状態で位置決めする位置決め部２０が回転軸３０を中心として第１位置と第２位置との間で回転可能となっている。また、位置決め部２０が回転軸３０を中心として第１位置から第２位置まで回転したときに当該位置決め部２０で位置決めされている段ボール箱の上下が反転させられるようになっている。このため、略四角柱形状に開かれた段ボール箱のフラップをテープにより封止した後にこの段ボール箱の上下を作業者は手作業で容易に反転させることができ、このことにより、作業者の負担を軽減しながら、動力を一切使用しないためメンテナンスの手間を省くことができるとともに電力消費の発生を抑制することができる。
【００３２】
また、本実施の形態の製函補助装置１においては、上述したように、位置決め部２０に、段ボールを製函するためのテープが巻かれた巻芯４２を保持する巻芯保持部４０が設けられており、位置決め部２０および巻芯保持部４０は回転軸３０を中心として一体的に回転するようになっている。この場合には、位置決め部２０により段ボール箱が位置された状態で当該位置決め部２０が回転軸３０を中心として第１位置から第２位置まで回転する際に、段ボール箱が巻芯保持部４０に衝突してしまうことを防止することができる。また、巻芯保持部４０は回転軸３０の長手方向と平行な方向に移動自在となっている。この場合には、位置決め部２０により位置決めされる段ボール箱のサイズが変わっても、巻芯４２を回転軸３０の長手方向と平行な方向に移動させることにより、巻芯４２から巻き出されたテープと、段ボール箱のフラップ間の境界との位置合わせを行うことができるようになるため、段ボール箱のフラップを当該テープにより確実に封止することができるようになる。
【００３３】
また、本実施の形態の製函補助装置１においては、上述したように、位置決め部２０に、巻芯保持部４０により保持される巻芯４２から巻き出されたテープを切断するための切断部５０が設けられており、位置決め部２０および切断部５０は回転軸３０を中心として一体的に回転するようになっている。この場合には、位置決め部２０により段ボール箱が位置された状態で当該位置決め部２０が回転軸３０を中心として第１位置から第２位置まで回転する際に、段ボール箱が切断部５０に衝突してしまうことを防止することができる。また、切断部５０は、位置決め部２０に設けられた切断部用回転軸５２を中心として回転可能となっており、切断部５０が切断部用回転軸５２を中心として回転することにより、巻芯保持部４０により保持される巻芯４２から巻き出されて段ボール箱のフラップに貼られているテープが切断されるようになっている。この場合には、巻芯保持部４０により保持される巻芯４２から巻き出されて段ボール箱のフラップに貼られているテープを作業者は手作業で容易に切断することができるようになる。
【００３４】
また、本実施の形態の製函補助装置１においては、上述したように、位置決め部２０が第２位置に位置しているときに当該位置決め部２０で位置決めされている段ボール箱が載置される載置部６０が設けられている。また、載置部６０は、段ボール箱が水平面に対して傾斜した状態で載置されるような構成となっている。これらの技術的事項によれば、作業者が段ボール箱に様々な製品等のワークを入れる際の負荷を軽減することができるようになる。
【００３５】
また、本実施の形態の製函補助装置１においては、上述したように、載置部６０に載置された段ボール箱を当該載置部６０から他の場所に搬送するのを補助する搬送補助部７０が設けられている。この場合には、作業者が製品等のワークが入った段ボール箱を搬送する際の負荷を軽減することができるようになる。
【００３６】
また、本実施の形態の製函補助装置１においては、上述したように、位置決め部２０は、折り畳まれた状態から段ボール箱が略四角柱形状に開かれる際に当該段ボール箱の側面の位置決めを行う位置決めガイド２２、２４、２６を有している。ここで、位置決めガイド２２、２４、２６は、段ボール箱が略四角柱形状に開かれたときの当該段ボール箱の３つの側面に対応する位置に設けられている。これらの技術的事項によれば、折り畳まれた状態の段ボール箱を作業者は容易に手作業で略四角柱形状となるよう開くことができるようになる。
【００３７】
また、本実施の形態の製函補助装置１においては、上述したように、位置決め部２０は、段ボール箱が略四角柱形状に開かれたときの当該段ボール箱のある側面を対向する他の側面に向かって押圧する押圧ガイド２８を更に有している。この場合には、略四角柱形状に開いた段ボール箱の形が、４つの側面が平行四辺形になるような不適正な形に戻ってしまうことを防止することができるようになる。
【００３８】
なお、本実施の形態による製函補助装置は、上述したような態様に限定されることはなく、様々な変更を加えることができる。
【００３９】
例えば、上記の説明では、製函補助装置１に巻芯保持部４０、切断部５０、載置部６０および搬送補助部７０がそれぞれ設けられているような態様について述べたが、本実施の形態による製函補助装置はこのような態様に限定されることはない。本実施の形態による製函補助装置として、上記の巻芯保持部４０、切断部５０、載置部６０および搬送補助部７０のうち少なくとも１つあるいは全てが省略されているような装置が用いられてもよい。このように、巻芯保持部４０、切断部５０、載置部６０および搬送補助部７０のうち少なくとも１つあるいは全てが省略されていても、位置決め部２０が回転軸３０を中心として第１位置と第２位置との間で回転可能となっており、位置決め部２０が回転軸３０を中心として第１位置から第２位置まで回転したときに当該位置決め部２０で位置決めされている段ボール箱の上下が反転させられるようになっている場合には、略四角柱形状に開かれた段ボール箱のフラップをテープにより封止した後にこの段ボール箱の上下を作業者は手作業で容易に反転させることができ、よって、作業者の負担を軽減しながら、動力を一切使用しないためメンテナンスの手間を省くことができるとともに電力消費の発生を抑制することができるという作用効果を奏することができるようになる。
【００４０】
また、位置決め部２０は、３つの位置決めガイド２２、２４、２６を有するような構成のものに限定されることはない。位置決め部２０として、略四角柱形状の段ボール箱をその少なくとも一面が開かれた状態で位置決めすることができるものであれば、３つの位置決めガイド２２、２４、２６を有するような構成のもの以外のものが用いられてもよい。
【符号の説明】
【００４１】
１    製函補助装置
１０  ベース部
２０  位置決め部
２２、２４、２６  位置決めガイド
２８  押圧ガイド
２９  バネ
３０  回転軸
４０  巻芯保持部
４２  巻芯
５０  切断部
５２  切断部用回転軸
６０  載置部
７０  搬送補助部
【図１】
2017217860.tif 000003
【図２】
2017217860.tif 000004
【図３】
2017217860.tif 000005
【図４】
2017217860.tif 000006